(57)【要約】【課題】  回転部材の回転のための電力供給が不要であり、回転部材をいずれの方向にも自在に回転させることができ、しかも、所望の位置で止めることができる光ファイバアセンブリ品を提供する。【解決手段】  光ファイバアセンブリ品１は、第１及び第２線材６，７を備える。光ファイバアセンブリ品１は、線材巻付部１６に巻き付けられた状態の第１線材６が操作部で引かれたときに、その線材巻付部１６への巻き付けが解かれると共に、回転部材９を一方の方向に回転させ、且つ、第２線材７を線材巻付部１６に巻き付け、線材巻付部１６に巻き付けられた状態の第２線材７が操作部で引かれたときに、その線材巻付部１６への巻き付けが解かれると共に、回転部材９を他方の方向に回転させ、且つ、第１線材６を線材巻付部に巻き付けることにより、回転部材９の回転調整可能に構成されている。【選択図】図３
2005134457.tif 000002
【特許請求の範囲】
【請求項１】
光ファイバが挿通されたケーブル部と、前記ケーブル部の一端に設けられたヘッド部と、前記ケーブル部の他端部に設けられた操作部と、を備えた光ファイバアセンブリ品であって、
前記ヘッド部は、前記ケーブル部と同軸に形成された筒状のヘッド部本体と、前記ヘッド部本体にその軸周りに回転可能に設けられ、側面に前記光ファイバからの光を出射するための出射部及び／又は前記光ファイバに入射される光を受光するための受光部が形成されていると共に、外周に線材巻付部が構成された回転部材と、を有しており、
各々、前記操作部から前記ヘッド部に配索され、前記回転部材がいずれかの方向に回転したときに前記線材巻付部に巻き取られるように設けられた第１及び第２線材をさらに備え、
前記線材巻付部に巻き付けられた状態の前記第１線材が前記操作部で引かれたときに、その前記線材巻付部への巻き付けが解かれると共に、前記回転部材を一方の方向に回転させ、且つ、前記第２線材を前記線材巻付部に巻き付け、前記線材巻付部に巻き付けられた状態の前記第２線材が前記操作部で引かれたときに、その前記線材巻付部への巻き付けが解かれると共に、前記回転部材を他方の方向に回転させ、且つ、前記第１線材を前記線材巻付部に巻き付けることにより、前記回転部材の回転調整が可能に構成された、光ファイバアセンブリ品。
【請求項２】
請求項１に記載された光ファイバアセンブリ品において、
前記第１及び第２線材がいずれもワイヤ撚線であり、
前記ワイヤ撚線の第１及び第２線材のそれぞれは、前記ヘッド部内でチューブ材に挿通されており、該チューブ材への挿通部分にフッ素系潤滑剤が付着せしめられている、光ファイバアセンブリ品。
【請求項３】
請求項１に記載された光ファイバアセンブリ品において、
前記第１及び第２線材は、前記操作部から前記ヘッド部に配索され、前記回転部材の線材巻付部に巻き付けられた後、折り返して前記ヘッド部から前記操作部に配索された１本の線材によって構成されている、光ファイバアセンブリ品。
【請求項４】
ライトガイドファイバ及びイメージガイドファイバが挿通されたケーブル部と、前記ケーブル部の一端に設けられたヘッド部と、前記ケーブル部の他端部に設けられた操作部と、を備えた光ファイバスコープであって、
前記ヘッド部は、前記ケーブル部と同軸に形成された筒状のヘッド部本体と、前記ヘッド部本体にその軸周りに回転可能に設けられ、側面に前記ライトガイドファイバからの光を出射するための出射部及び前記イメージガイドファイバに入射される光を受光するための受光部が形成されていると共に、外周に線材巻付部が構成された回転部材と、を有しており、
各々、前記操作部から前記ヘッド部に配索され、前記回転部材がいずれかの方向に回転したときに前記線材巻付部に巻き取られるように設けられた第１及び第２線材をさらに備え、
前記線材巻付部に巻き付けられた状態の前記第１線材が前記操作部で引かれたときに、その前記線材巻付部への巻き付けが解かれると共に、前記回転部材を一方の方向に回転させ、且つ、前記第２線材を前記線材巻付部に巻き付け、前記線材巻付部に巻き付けられた状態の前記第２線材が前記操作部で引かれたときに、その前記線材巻付部への巻き付けが解かれると共に、前記回転部材を他方の方向に回転させ、且つ、前記第１線材を前記線材巻付部に巻き付けることにより、前記回転部材の回転調整が可能に構成された、光ファイバスコープ。
【請求項５】
光ファイバが挿通されたケーブル部と、前記ケーブル部の一端に設けられたヘッド部と、前記ケーブル部の他端部に設けられた操作部と、を備えた光ファイバアセンブリ品であって、
前記ヘッド部は、前記ケーブル部と同軸に形成された筒状のヘッド部本体と、前記ヘッド部本体にその軸周りに回転可能に設けられ、側面に前記光ファイバからの光を出射するための出射部及び／又は前記光ファイバに入射される光を受光するための受光部が形成されていると共に、外周に線材巻付部が構成された回転部材と、を有しており、
前記操作部から前記ヘッド部に配索されて前記線材巻付部に巻き付けられた線材と、    前記線材が前記操作部で引かれてその前記線材巻付部への巻き付けが解かれると共に前記回転部材が一方の方向に回転したときに、前記線材を前記線材巻付部に巻き付けるように前記回転部材を他方の方向に回転させるよう付勢する付勢手段と、
を備えた、光ファイバアセンブリ品。
【請求項６】
請求項５に記載された光ファイバアセンブリ品において、
前記線材がワイヤ撚線であり、
前記ワイヤ撚線の線材は、前記ヘッド部内でチューブ材に挿通されており、該チューブ材への挿通部分にフッ素系潤滑剤が付着せしめられている、光ファイバアセンブリ品。
【請求項７】
ライトガイドファイバ及びイメージガイドファイバが挿通されたケーブル部と、前記ケーブル部の一端に設けられたヘッド部と、前記ケーブル部の他端部に設けられた操作部と、を備えた光ファイバスコープであって、
前記ヘッド部は、前記ケーブル部と同軸に形成された筒状のヘッド部本体と、前記ヘッド部本体にその軸周りに回転可能に設けられ、側面に前記ライトガイドファイバからの光を出射するための出射部及び前記イメージガイドファイバに入射される光を受光するための受光部が形成されていると共に、外周に線材巻付部が構成された回転部材と、を有しており、
前記操作部から前記ヘッド部に配索されて前記線材巻付部に巻き付けられた線材と、    前記線材が前記操作部で引かれてその前記線材巻付部への巻き付けが解かれると共に前記回転部材が一方の方向に回転したときに、前記線材を前記線材巻付部に巻き付けるように前記回転部材を他方の方向に回転させるよう付勢する付勢手段と、
を備えた、光ファイバスコープ。
【発明の詳細な説明】
【技術分野】
【０００１】
本発明は、光ファイバセンサ、光ファイババンドル、光ファイバスコープなどの光ファイバを用いた光ファイバアセンブリ品に関する。
【背景技術】
【０００２】
光ファイバを用いた光ファイバアセンブリ品において、光の伝送方向を変える手段として、ワイヤを用いて先端部を強制的に曲げる方法が採られている。例えば、光ファイバスコープでは、先端部の首振り機構としてワイヤを利用した機構が以前より実用化されている。
【０００３】
また、光ファイバスコープでは、視野方向を変える機構としてミラーを利用した構造がよく使用されている。そして、周回の観察には先端部の回転部材を回転させるなどの方法が用いられている。例えば、モーターのトルクにより回転部材を回転させる方法や、加圧空気を利用して回転部材を回転させる方法などがある。
【０００４】
特許文献１には、ライトガイドとイメージガイドとを有する光ファイバ本体の先端側に、ライトガイドの先端部とイメージガイドの先端部とが固着され、且つ、３６０度未満の軸心周りの回転が可能な回転部を設け、回転部の回転によりライトガイドの先端部とイメージガイドの先端部の向きを変更可能としたファイバスコープのヘッドが開示されている。
【０００５】
また、特許文献２には、ファイバスコープ本体の先端側に回動駆動機構を設け、その先端側の対物部を強制的に回動可能としたファイバスコープであって、回動駆動機構が、ファイバスコープ本体に外嵌された円筒状中空軸と、その中空軸の軸心方向に往復動するロッドと、そのロッドを収納する収納部とを備え、軸心方向に内装されたエアシリンダと、そのエアシリンダのロッドの往復動と共に軸心方向に往復動するカムと、そのカムに押圧されればその軸心周りに回動せずに中空軸の周方向に沿って所定寸法だけ揺動し且つ押圧が解除されればその軸心周りに回動しながら所定寸法だけ揺動して元の位置に戻るピニオンと、そのピニオンに噛合されると共に中空軸の先端に回動自在として外嵌され且つ対物部が固着された歯車とを備えたものが開示されている。
【特許文献１】特開昭６２−１２５３１７号公報
【特許文献２】実開昭６２−６０９１２号公報
【発明の開示】
【発明が解決しようとする課題】
【０００６】
ところで、現在実用化されている光ファイバスコープにおいて、モーターにより回転部材を回転させるものでは、モーター駆動用の電力供給が必要であり、また、モーターの故障などが懸念されるという問題がある。
【０００７】
空気圧を利用して回転部材を回転させるものでは、駆動機構にラチェットを使用しているため、回転方法が一方向に限定されると共に、駆動がステップ状になるために回転部材が所望の方向を向いた位置で止めることができない場合があるという問題がある。また、送気用のチューブが加圧により膨張するため、長さが長くなると気圧低下が発生し、回転部材の回転に必要な圧力を供給できなくなる傾向があり、長尺ものには不向きであるという問題もある。
【０００８】
本発明は、かかる点に鑑みてなされたものであり、その目的とするところは、回転部材の回転のための電力供給が不要であり、回転部材をいずれの方向にも自在に回転させることができ、しかも、所望の位置で止めることができる光ファイバアセンブリ品及び光ファイバスコープを提供することにある。
【課題を解決するための手段】
【０００９】
上記目的を達成することができる本発明は、光ファイバが挿通されたケーブル部と、前記ケーブル部の一端に設けられたヘッド部と、前記ケーブル部の他端部に設けられた操作部と、を備えた光ファイバアセンブリ品であって、
前記ヘッド部は、前記ケーブル部と同軸に形成された筒状のヘッド部本体と、前記ヘッド部本体にその軸周りに回転可能に設けられ、側面に前記光ファイバからの光を出射するための出射部及び／又は前記光ファイバに入射される光を受光するための受光部が形成されていると共に、外周に線材巻付部が構成された回転部材と、を有しており、
各々、前記操作部から前記ヘッド部に配索され、前記回転部材がいずれかの方向に回転したときに前記線材巻付部に巻き取られるように設けられた第１及び第２線材をさらに備え、
前記線材巻付部に巻き付けられた状態の前記第１線材が前記操作部で引かれたときに、その前記線材巻付部への巻き付けが解かれると共に、前記回転部材を一方の方向に回転させ、且つ、前記第２線材を前記線材巻付部に巻き付け、前記線材巻付部に巻き付けられた状態の前記第２線材が前記操作部で引かれたときに、その前記線材巻付部への巻き付けが解かれると共に、前記回転部材を他方の方向に回転させ、且つ、前記第１線材を前記線材巻付部に巻き付けることにより、前記回転部材の回転調整が可能に構成されたものである。
【００１０】
上記の構成によれば、線材を力学的に引くだけの回転部材の回転駆動機構であるので、
回転部材の回転のための電力供給が不要である。また、第１線材を引けば回転部材が一方の方向に回転し、第２線材を引けば回転部材が他方の方向に回転するので、回転部材をいずれの方向にも自在に回転させることができ、しかも、所望の位置で止めることができる。さらに、線材を引くのを停止すれば、回転部材を所望の位置で止めることもできる。
【００１１】
本発明は、前記第１及び第２線材がいずれもワイヤ撚線であり、
前記ワイヤ撚線の第１及び第２線材のそれぞれは、前記ヘッド部内でチューブ材に挿通されており、該チューブ材への挿通部分にフッ素系潤滑剤が付着せしめられているものであってもよい。
【００１２】
第１及び第２線材が長尺であると、それらを引いた際の摩擦抵抗が大きくなるため操作性が低くなる。また、ヘッド部内では第１及び第２線材が真っ直ぐに延びるように設けられないため、その摩擦抵抗が特に大きい。しかしながら、上記の構成によれば、第１及び第２線材のそれぞれがヘッド部内でチューブ材に挿通され、そのチューブ材への挿通部分にフッ素系潤滑剤が付着せしめられているので、第１及び第２線材を引いた際のヘッド部内での摩擦抵抗が低減されることとなり、長尺のものであっても良好な操作性を得ることができる。
【００１３】
本発明は、前記第１及び第２線材が、前記操作部から前記ヘッド部に配索され、前記回転部材の線材巻付部に巻き付けられた後、折り返して前記ヘッド部から前記操作部に配索された１本の線材によって構成されているものであってもよい。もちろん、各々、ヘッド部の回転部材に一端が固定された一対の線材で第１及び第２線材を構成してもよい。
【００１４】
本発明の光ファイバアセンブリ品は、光ファイバセンサ、光ファイババンドル、光ファイバスコープ等、光ファイバが挿通されたケーブル部と、その一端に設けられたヘッド部と、その他端部に設けられた操作部と、と備えたものであれば特に限定されない。
【００１５】
例えば、光ファイバスコープの場合、
本発明の光ファイバスコープは、ライトガイドファイバ及びイメージガイドファイバが挿通されたケーブル部と、前記ケーブル部の一端に設けられたヘッド部と、前記ケーブル部の他端部に設けられた操作部と、を備えたものであって、
前記ヘッド部は、前記ケーブル部と同軸に形成された筒状のヘッド部本体と、前記ヘッド部本体にその軸周りに回転可能に設けられ、側面に前記ライトガイドファイバからの光を出射するための出射部及び前記イメージガイドファイバに入射される光を受光するための受光部が形成されていると共に、外周に線材巻付部が構成された回転部材と、を有しており、
各々、前記操作部から前記ヘッド部に配索され、前記回転部材がいずれかの方向に回転したときに前記線材巻付部に巻き取られるように設けられた第１及び第２線材をさらに備え、
前記線材巻付部に巻き付けられた状態の前記第１線材が前記操作部で引かれたときに、その前記線材巻付部への巻き付けが解かれると共に、前記回転部材を一方の方向に回転させ、且つ、前記第２線材を前記線材巻付部に巻き付け、前記線材巻付部に巻き付けられた状態の前記第２線材が前記操作部で引かれたときに、その前記線材巻付部への巻き付けが解かれると共に、前記回転部材を他方の方向に回転させ、且つ、前記第１線材を前記線材巻付部に巻き付けることにより、前記回転部材の回転調整が可能に構成されたものとなる。
【００１６】
また、上記目的を達成することができる他の本発明は、光ファイバが挿通されたケーブル部と、前記ケーブル部の一端に設けられたヘッド部と、前記ケーブル部の他端部に設けられた操作部と、を備えた光ファイバアセンブリ品であって、
前記ヘッド部は、前記ケーブル部と同軸に形成された筒状のヘッド部本体と、前記ヘッド部本体にその軸周りに回転可能に設けられ、側面に前記光ファイバからの光を出射するための出射部及び／又は前記光ファイバに入射される光を受光するための受光部が形成されていると共に、外周に線材巻付部が構成された回転部材と、を有しており、
前記操作部から前記ヘッド部に配索されて前記線材巻付部に巻き付けられた線材と、    前記線材が前記操作部で引かれてその前記線材巻付部への巻き付けが解かれると共に前記回転部材が一方の方向に回転したときに、前記線材を前記線材巻付部に巻き付けるように前記回転部材を他方の方向に回転させるよう付勢する付勢手段と、
を備えたものである。
【００１７】
上記の構成によれば、線材を力学的に引くだけの回転部材の回転駆動機構であるので、
回転部材の回転のための電力供給が不要である。また、線材を引けば回転部材が一方の方向に回転し、引く力を解除すれば付勢手段により回転部材が他方の方向に回転するので、回転部材をいずれの方向にも自在に回転させることができ、しかも、所望の位置で止めることができる。
【００１８】
他の本発明は、前記線材がワイヤ撚線であり、
前記ワイヤ撚線の線材は、前記ヘッド部内でチューブ材に挿通されており、該チューブ材への挿通部分にフッ素系潤滑剤が付着せしめられているものであってもよい。
【００１９】
線材が長尺であると、それを引いた際の摩擦抵抗が大きくなるため操作性が低くなる。また、ヘッド部内では線材が真っ直ぐに延びるように設けられないため、その摩擦抵抗が特に大きい。しかしながら、上記の構成によれば、線材がヘッド部内でチューブ材に挿通され、そのチューブ材への挿通部分にフッ素系潤滑剤が付着せしめられているので、線材を引いた際のヘッド部内での摩擦抵抗が低減されることとなり、長尺のものであっても良好な操作性を得ることができる。
【００２０】
他の本発明の光ファイバアセンブリ品は、光ファイバセンサ、光ファイババンドル、光ファイバスコープ等、光ファイバが挿通されたケーブル部と、その一端に設けられたヘッド部と、その他端部に設けられた操作部と、と備えたものであれば特に限定されない。
【００２１】
例えば、光ファイバスコープの場合、
本発明の光ファイバスコープは、ライトガイドファイバ及びイメージガイドファイバが挿通されたケーブル部と、前記ケーブル部の一端に設けられたヘッド部と、前記ケーブル部の他端部に設けられた操作部と、を備えたものであって、
前記ヘッド部は、前記ケーブル部と同軸に形成された筒状のヘッド部本体と、前記ヘッド部本体にその軸周りに回転可能に設けられ、側面に前記ライトガイドファイバからの光を出射するための出射部及び前記イメージガイドファイバに入射される光を受光するための受光部が形成されていると共に、外周に線材巻付部が構成された回転部材と、を有しており、
前記操作部から前記ヘッド部に配索されて前記線材巻付部に巻き付けられた線材と、    前記線材が前記操作部で引かれてその前記線材巻付部への巻き付けが解かれると共に前記回転部材が一方の方向に回転したときに、前記線材を前記線材巻付部に巻き付けるように前記回転部材を他方の方向に回転させるよう付勢する付勢手段と、
を備えたものとなる。
【発明の効果】
【００２２】
以上説明したように、本発明或いは他の本発明によれば、回転部材の回転のための電力供給が不要であり、また、回転部材をいずれの方向にも自在に回転させることができ、しかも、所望の位置で止めることができる。
【発明を実施するための最良の形態】
【００２３】
以下、本発明の実施形態を図面に基づいて詳細に説明する。
【００２４】
（実施形態１）
図１は、本発明の実施形態１に係る光ファイバスコープ１を示す。
【００２５】
この光ファイバスコープ１は、ケーブル部２の一端にヘッド部３が設けられている一方、他端に操作部４が設けられた長さが２０ｍ以上の長尺のものである。
【００２６】
ケーブル部２は、樹脂（例えばポリエチレン樹脂）等の弾性材を被覆したステンレス製フレキシブルチューブで形成されており、それにライトガイドファイバ及びイメージガイドファイバを含む光ファイバケーブル５、並びに、第１及び第２ワイヤ撚線（第１及び第２線材）６，７が挿通されたものである。また、そのチューブには、光ファイバスコープの折損防止のため、曲率を制限する構造が与えられているのが一般的であり、かかる曲率制限構造により、回転機構の線材の曲げが抑制されて動作が容易になるようになっている。なお、光ファイバケーブル５は、ケーブル中心にイメージガイドファイバが配置され、それを取り囲むように多数のライトガイドファイバが設けられた構成のものである。
【００２７】
図２〜４は、ヘッド部３を示す。
【００２８】
ヘッド部３は、全体としてケーブル部２と同軸の棒状に形成されており、ケーブル部２に接続されたヘッド部本体８に先端部を構成する回転部材９が設けられたものである。
【００２９】
ヘッド部本体８は、外側筒１０に中間筒１１が内嵌めされ、さらに、中間筒１１に内側筒１２が内嵌めされたものである。
【００３０】
外側筒１０は、先端側部１０ａ及び基端側部１０ｂが螺合一体化する筒状に形成されており、ヘッド部本体８外形を構成している。また、中間筒１１は、先端側の孔径が大きく且つ基端側の孔径が小さく形成されており、外側筒１０の先端側部１０ａ内及び基端側部１０ｂのそれぞれの内側に突出するように形成された張出部１０ｃ，１０ｄにより前後が係止されている。内側筒１２は、パイプ状に形成され、その中間筒１１の小径の孔に嵌合して先端側に延び、中間筒１１の大径の孔の部分を通じ、さらに中間筒１１の先端側開口から突出している。
【００３１】
回転部材９は、基端側が大きく開口したペンのキャップ状の先端回転部１３の開口にリング部材１４及びベアリング１５を押し込むように嵌込部１６が嵌入接続されたものである。また、嵌込部１６には、基端側にベアリング１５が内嵌めされている。そして、嵌込部１６がベアリング１５を介して内側筒１２に外嵌めされていることにより、ヘッド部本体８に対しその軸周りに回転可能となっている。先端回転部１３の外周にはコの字溝が形成され、そこに外側筒１０との間に介設されるようにＯリング１７が嵌め込まれている。
先端回転部１３の側面には、先端側及び基端側の一対の円形窓（出射部、受光部）１８が形成されており、それぞれにレンズ１９が嵌め込まれている。また、先端回転部１３の内部には、一対の円形窓１８のそれぞれに対応するように、先端回転部１３の軸方向及び円形窓１８に対して４５°の角度をなすようにミラー２０が設けられている。基端側のミラー２０には、中央に先端側のミラー２０が望むようにイメージガイドファイバと略同径の貫通孔２１が軸方向に延びるように形成されている。
【００３２】
光ファイバケーブル５は、ケーブル部２内からヘッド部３内に導かれて内側筒１２に内嵌め保持固定されており、内側筒１２の先端から若干突出した位置で端面が面一状に切断されている。これにより、図５に示すように、ケーブル中心のイメージガイドファイバＩＧについて、貫通孔２１を介して先端側のミラー２０及び円形窓１８を通した光路が構成されている一方、ライトガイドファイバＬＧについて、基端側のミラー２０及び円形窓１８を通した光路が構成されている。
【００３３】
第１及び第２ワイヤ撚線６，７は、１本のワイヤ撚線で構成されている。そのワイヤ撚線は、操作部４からケーブル部２内を経てヘッド部３に配索され、折り返してヘッド部３からケーブル部２内を経て操作部４に配索されており、それによって操作部４からヘッド部３に第１及び第２ワイヤ撚線６，７がそれぞれ配索された形態となっている。第１及び第２ワイヤ撚線６，７のそれぞれは、チューブ材２２に挿通された状態でケーブル部２からヘッド部３内に導かれ、さらに中間筒１１に形成された撚線案内孔２３に挿通されて、回転部材９の嵌込部１６まで案内され、その嵌込部（線材巻付部）１６に数周巻き付けられたものとなっている。つまり、嵌込部１６への巻き付け部分が第１及び第２ワイヤ撚線６，７を構成する１本のワイヤ撚線の折り返し部となっている。なお、第１及び第２ワイヤ撚線６，７の境界は、巻き付け状態の如何に関わらず、嵌込部１６に巻き付けられた部分の中間部である。第１及び第２ワイヤ撚線６，７のチューブ材２２に挿通された部分にはフッ素系潤滑剤が付着せしめられている。チューブ材２２は第１及び第２ワイヤ撚線６，７の全長にわたって、或いは、ケーブル部２の途中まで設けられている。撚線案内孔２３は、中間筒１１を基端側から先端側に延びた後、回転部材９の嵌込部１６の対応位置で中心に向かって延びるように形成されている。これにより、回転部材９がいずれかの方向に回転したときに第１ワイヤ撚線６又は第２ワイヤ撚線７が嵌込部１６に巻き取られるようになっている。
【００３４】
操作部４は、ケーブル部２からの光ファイバケーブル５が分岐して延びるイメージガイドファイバの他端が接続された接眼観察部と、同じく分岐して延びるライトガイドファイバの他端が接続された光源と、第１及び第２ワイヤ撚線６，７のそれぞれの端が接続された操作ハンドルと、を備えている（いずれも図示せず）。
【００３５】
この光ファイバスコープ１は、光源からの光をライトガイドファイバで伝送してヘッド部３のミラー２０及び円形窓１８を介して観察対象に照射し、その観察対象のイメージを円形窓１８、ミラー２０及び貫通孔２１を介してイメージガイドファイバに入射させ、接眼観察部でそのイメージを観察できるようにしたものである。そして、観察対象を変更するために回転部材９を回転させるときには、嵌込部１６に巻き付けられた状態の第１ワイヤ撚線６又は第２ワイヤ撚線７を操作ハンドルで引き、その嵌込部１６への巻き付けを解くことにより回転部材９をいずれかの方向に回転させる。そして、そのときには、引かれなかった方のワイヤ撚線が嵌込部１６に巻き付けられることとなる。つまり、嵌込部１６に巻き付けられた状態の第１ワイヤ撚線６を操作ハンドルで引いたときに、その嵌込部１６への巻き付けが解かれると共に、回転部材９が一方の方向に回転し、且つ、第２線材が嵌込部１６に巻き付き、嵌込部１６に巻き付けられた状態の第２ワイヤ撚線７を操作ハンドルで引いたときに、その嵌込部１６への巻き付けが解かれると共に、回転部材９が他方の方向に回転し、且つ、第１線材が嵌込部１６に巻き付くことを利用することにより、回転部材９の回転調整を行うことができるようになっている。
【００３６】
このような構成の光ファイバスコープ１によれば、線材を力学的に引くだけの回転部材９の回転駆動機構であるので、回転部材９の回転のための電力供給が不要である。
【００３７】
また、第１ワイヤ撚線６を引けば回転部材９が一方の方向に回転し、第２ワイヤ撚線７を引けば回転部材９が他方の方向に回転するので、回転部材９をいずれの方向にも自在に回転させることができ、しかも、所望の位置で止めることができる。
【００３８】
さらに、第１及び第２ワイヤ撚線６，７を引くのを停止すれば、回転部材９を所望の位置で止めることもできる。
【００３９】
また、第１及び第２ワイヤ撚線６，７を別々に引く構成とすることで、一方を引くときには他方がフリーになることにより、ワイヤ撚線６，７を押し込むことにより生じるキンクなどの故障要因を無くすことができる。
【００４０】
また、力学的にワイヤ撚線６，７を引くだけの簡易な構成であるので、故障しにくいという特徴もある。
【００４１】
また、第１及び第２ワイヤ撚線６，７が長尺であると、それらを引いた際の摩擦抵抗が大きくなるため操作性が悪くなる。また、ヘッド部３内では第１及び第２ワイヤ撚線６，７が真っ直ぐに延びるように設けられないため、その摩擦抵抗が特に大きい。しかしながら、上記構成の光ファイバスコープ１によれば、第１及び第２ワイヤ撚線６，７のそれぞれがヘッド部３内でチューブ材２２に挿通され、そのチューブ材２２への挿通部分にフッ素系潤滑剤が付着せしめられているので、第１及び第２ワイヤ撚線６，７を引いた際のヘッド部３内での摩擦抵抗が低減されることとなり、良好な操作性を得ることができる。
【００４２】
（実施形態２）
図６は、本発明の実施形態２に係る光ファイバスコープにおける回転部材９の嵌合部１６を示す。なお、実施形態１と同一名称の部分は同一符号で示す。
【００４３】
この光ファイバスコープでは、１本のワイヤ撚線（線材）２４が操作部からケーブル部内を経てヘッド部に配索されている。ワイヤ撚線２４は、チューブ材に挿通された状態でケーブル部からヘッド部内に導かれ、さらに中間筒１１に形成された撚線案内孔に挿通されて、回転部材９の嵌込部（線材巻付部）１６まで案内され、その嵌込部１６に数周巻き付けられ（ここまでの構成は実施形態１のものと同一である。）、先端が嵌込部１６に固定されている。また、嵌込部１６の周りを周回するようにゼンマイ（付勢手段）２５が設けられ、その内側端が嵌込部１６に及び外側端が中間筒１１にそれぞれ固定されている。ここで、ワイヤ撚線２４の嵌合部１６への巻き付け方向とゼンマイ２５の嵌合部１６への巻き付け方向とは逆方向である。そして、これにより、ワイヤ撚線２４が操作部で引かれ、その嵌込部１６への巻き付けが解かれると共に回転部材９が一方の方向に回転すると、ゼンマイ２５に復元力が発生し、ワイヤ撚線２４を嵌込部１６に巻き付け、そして、回転部材９を他方の方向に回転させるように嵌込部１６に付勢するようになっている。
【００４４】
従って、操作部でワイヤ撚線２４を引くことにより回転部材９を一方の方向に回転させることができ、ワイヤ撚線２４に作用させた力を解除することにより回転部材９を他方の方向に回転させることができる。
【００４５】
その他の構成は、実施形態１と同一である。
【００４６】
このような構成の光ファイバスコープによれば、線材を力学的に引くだけの回転部材９の回転駆動機構であるので、回転部材９の回転のための電力供給が不要である。
【００４７】
また、ワイヤ撚線２４を引けば回転部材９が一方の方向に回転し、引く力を解除すればゼンマイ２５により回転部材９が他方の方向に回転するので、回転部材９をいずれの方向にも自在に回転させることができ、しかも、所望の位置で止めることができる。
【００４８】
その他の作用効果は実施形態１と同一である。
【００４９】
（その他の実施形態）
なお、上記の実施形態１及び２では、光ファイバスコープ１としたが、特にこれに限定されるものではなく、光ファイバセンサ、光ファイババンドル等、その他の光ファイバアセンブリ品であってもよい。
【００５０】
また、上記実施形態１及び２では、光ファイバケーブル５の端面を面一状に形成したが、特にこれに限定されるものではなく、図７に示すように、イメージガイドファイバＩＧのみを突出させて貫通孔２１に挿通させ、ケーブル中心のイメージガイドファイバＩＧについて、貫通孔２１を介さずに先端側のミラー２０及び円形窓１８を通した光路を構成し、ライトガイドファイバＬＧについても、基端側のミラー２０及び円形窓１８を通した光路を構成するようにしてもよい。
【００５１】
また、上記実施形態１では、第１及び第２ワイヤ撚線６，７を１本のワイヤ撚線で構成したが、特にこれに限定されるものではなく、各々、操作部からヘッド部に配索されて一端がヘッド部の回転部材に固定された一対のワイヤ撚線により第１及び第２ワイヤ撚線を構成してもよい。
【００５２】
また、上記実施形態２では、ゼンマイ２５により付勢手段を構成したが、特にこれに限定されるものではなく、嵌込部に巻き付けるように設けられたコイルバネによって付勢手段を構成してもよい。
【実施例】
【００５３】
次に、ワイヤ撚線をナイロン樹脂で被覆されたステンレスフレキシブルチューブに挿通したときの挿入可能長を計測した試験結果について説明する。なお、挿入可能長とは、ステンレスフレキシブルチューブにワイヤ撚線を挿入したときに摩擦抵抗によりワイヤ撚線が挿入不可となるまでの挿入長である。
【００５４】
ワイヤ撚線としてワイヤ線径０．８ｍｍの１９本のワイヤからなるものと、ワイヤ線径０．６ｍｍの１９本のワイヤからなるものとを用いた。
【００５５】
ステンレスフレキシブルチューブとして内径１ｍｍ、長さ２４．７ｍのものと内径１ｍｍ、長さ２０ｍのものとを用いた。
【００５６】
ワイヤ撚線に付着させる潤滑剤としてモリブデン系のもの２種類と、フッ素系オイルのもの１３種と、を用いた。
【００５７】
全１７の組み合わせの構成とそれぞれの引き抜き力についての結果を表１に示す。
【００５８】
【表１】
2005134457.tif 000003
【００５９】
ワイヤ線径が０．８ｍｍである例１、例３及び例５〜１１とを比較すると、ワイヤ撚線に潤滑剤を付着させないものやモリブデン系の潤滑剤を付着させたものよりもフッ素系オイルの潤滑剤を付着させたものの方が挿入可能長が長いことが分かる（フッ素系オイルの潤滑剤を付着させたものはステンレスフレキシブルチューブの全長の挿入が可能である。）。例２と例４とを比較すると、いずれもワイヤ線径が０．６ｍｍであるが、モリブデン系の潤滑剤を付着させたものの方が何も付着させないものよりも挿入可能長が短いことから、モリブデン系の潤滑剤はむしろ抵抗を高めてしまうのではないかと考えられる。
【００６０】
ワイヤ線径が０．６ｍｍである例１２〜１７は、撚線の太さが細いこともあり、いずれもステンレスフレキシブルチューブの全長の挿入が可能であるという結果になっている。
【００６１】
ステンレスフレキシブルチューブはチューブ材、撚線は第１及び第２ワイヤ撚線として用いることができるものである。従って、以上の結果より、長尺の光ファイバスコープにおいて、第１及び第２ワイヤ撚線による回転部材の良好な操作性を得るためには、チューブ材の内径に対して太さの細い撚線を用いること、或いは、潤滑剤としてフッ素系のものを用いることが望ましい。
【産業上の利用可能性】
【００６２】
以上説明したように、本発明は、光ファイバセンサ、光ファイババンドル、光ファイバスコープなどの光ファイバを用いた光ファイバアセンブリ品について有用である。
【図面の簡単な説明】
【００６３】
【図１】本発明の実施形態１に係る光ファイバスコープの構成を示す図である。
【図２】本発明の実施形態１に係る光ファイバスコープのヘッド部の斜視図である。
【図３】本発明の実施形態１に係る光ファイバスコープのヘッド部の縦断面図である。
【図４】本発明の実施形態１に係る光ファイバスコープのヘッド部の分解縦断面図である。
【図５】ヘッド部の縦断面の拡大図である。
【図６】本発明の実施形態２に係る光ファイバスコープの回転部材の回転機構を示す説明図である。
【図７】その他の実施形態のヘッド部の縦断面の拡大図である。
【符号の説明】
【００６４】
１  光ファイバスコープ
２  ケーブル部
３  ヘッド部
４  操作部
５  光ファイバケーブル
６  第１ワイヤ撚線
７  第２ワイヤ撚線
８  ヘッド部本体
９  回転部材
１０  外側筒
１０ａ  先端側部
１０ｂ  基端側部
１０ｃ，１０ｄ  張出部
１１  中間筒
１２  内側筒
１３  先端回転部
１４  リング部材
１５  ベアリング
１６  嵌込部
１７  Ｏリング
１８  円形窓
１９  レンズ
２０  ミラー
２１  貫通孔
２２  チューブ材
２３  撚線案内孔
２４  ワイヤ撚線（線材）
２５  ゼンマイ
ＩＧ  イメージガイドファイバ
ＬＧ  ライトガイドファイバ
【図１】
2005134457.tif 000004
【図２】
2005134457.tif 000005
【図３】
2005134457.tif 000006
【図４】
2005134457.tif 000007
【図５】
2005134457.tif 000008
【図６】
2005134457.tif 000009
【図７】
2005134457.tif 000010